(57)【要約】【課題】転送済み画像ファイルを削除する一方、使用指定済み画像ファイルが削除されないように制御する画像記憶装置を提供する。【解決手段】画像ファイルを記憶する記憶媒体と、画像ファイルを使用するアプリケーションを実行させる処理手段と、画像ファイルをアプリケーションで使用指定するアプリケーション使用指定手段と、画像ファイルを外部装置に送信する送信手段と、送信済み画像ファイルに送信履歴情報を付与する送信履歴付与手段と、記憶媒体の残容量を確認する媒体残量確認手段と、記憶媒体の残容量が所定量以下の場合に送信済み情報を有する画像ファイルを削除対象に削除手段と、送信済み情報を有する画像ファイルであっても使用指定情報が付与されている場合は削除手段を制御して該画像ファイルの削除を禁止する削除制御手段とを備える。【選択図】図１
2008271324.tif 000002
【特許請求の範囲】
【請求項１】
画像ファイルを記憶する画像情報記憶手段と、
上記画像情報記憶手段に記憶された画像ファイルを使用するアプリケーションを実行させる処理手段と、
上記画像情報記憶手段に記憶された画像ファイルを上記アプリケーションで使用することを指定するアプリケーション使用指定手段と、
上記画像情報記憶手段に記憶された画像ファイルを外部装置に送信する送信手段と、
上記送信手段が上記外部装置に送信した画像ファイルに対し送信履歴情報を付与する送信履歴付与手段と、
上記画像情報記憶手段の記憶容量の残量を確認する媒体残量確認手段と、
上記画像情報記憶手段の記憶容量の残量が所定量以下になった場合には、上記送信履歴付与手段によって付与された送信済み情報を有する画像ファイルを対象として削除する削除手段と、
上記送信履歴付与手段によって付与された送信済み情報を有する画像ファイルであっても、その画像ファイルが上記アプリケーションで使用することを指定する使用指定情報が付与されている場合には、上記削除手段を制御して当該画像ファイルの削除を禁止する削除制御手段と、
を有することを特徴とする画像記憶装置。
【請求項２】
上記アプリケーション使用指定手段により付与された画像ファイルの使用指定情報による指定状態を解除するアプリケーション使用指定解除手段を、さらに有することを特徴とする請求項１に記載の画像記憶装置。
【請求項３】
上記削除手段は、上記アプリケーション使用指定解除手段により指定状態が解除された画像ファイルを削除することを特徴とする請求項２に記載の画像記憶装置。
【請求項４】
上記送信履歴付与手段は、上記送信手段で送信された画像ファイルに第１の符号を付与し、
上記削除手段は、上記第１の符号が付与されている画像ファイルを削除することを特徴とする請求項１に記載の画像記憶装置。
【請求項５】
上記アプリケーション使用指定手段は、上記アプリケーションで使用することを指定する画像ファイルに第２の符号を付与し、
上記削除制御手段は、上記第２の符号が付与されている画像ファイルの削除を禁止する制御を行うことを特徴とする請求項２に記載の画像記憶装置。
【請求項６】
上記アプリケーション使用指定解除手段は、上記第２の符号を画像ファイルから削除することを特徴とする請求項５に記載の画像記憶装置。
【請求項７】
上記画像情報記憶手段に記憶された画像ファイルの管理情報を記憶する管理情報記憶手段を、さらに有し、
上記送信履歴付与手段は、上記送信手段で送信された画像ファイルを特定する第１の特定情報を上記画像情報記憶手段に記憶し、
上記削除手段は、上記画像情報記憶手段に記憶された第１の特定情報で特定される画像ファイルを削除することを特徴とする請求項１に記載の画像記憶装置。
【請求項８】
上記アプリケーション使用指定手段は、上記アプリケーションで使用することが指定された画像ファイルを特定する第２の特定情報を上記画像情報記憶手段に記憶し、
上記削除制御手段は、上記画像情報記憶手段に記憶された第２の特定情報で特定される画像ファイルを削除しないように上記削除手段を制御することを特徴とする請求項２に記載の画像記憶装置。
【請求項９】
上記アプリケーション使用指定解除手段は、上記第２の特定情報を上記画像情報記憶手段から削除することを特徴とする請求項８に記載の画像記憶装置。
【請求項１０】
上記アプリケーションは、上記画像情報記憶手段に記憶された複数の画像ファイルから任意の画像ファイルを指定して指定された画像ファイルに基づく画像を画面上の所定の位置に表示させるアルバム表示機能又は上記画像情報記憶手段に記憶された複数の画像ファイルから任意の画像ファイルを指定して指定された画像ファイルに基づく画像の印刷を予約する印刷予約機能のうち少なくとも一方を含むことを特徴とする請求項１〜９のいずれか一つに記載の画像記憶装置。
【請求項１１】
被写体を撮影して画像信号を生成する撮影手段と、
上記撮影手段により取得した画像信号及び関連情報からなる画像ファイルを記憶媒体に記憶する画像情報記憶手段と、
上記画像情報記憶手段に記憶された画像ファイルを使用するアプリケーションを実行させる処理手段と、
上記画像情報記憶手段に記憶された画像ファイルを上記アプリケーションで使用することを指定するアプリケーション使用指定手段と、
上記画像情報記憶手段に記憶された画像ファイルを外部装置に送信する送信手段と、
上記送信手段が上記外部装置に送信した画像ファイルに対し送信履歴情報を付与する送信履歴付与手段と、
上記画像情報記憶手段の記憶容量の残量を確認する媒体残量確認手段と、
上記画像情報記憶手段の記憶容量の残量が所定量以下になった場合には、上記送信履歴付与手段によって付与された送信済み情報を有する画像ファイルを対象として削除する削除手段と、
上記送信履歴付与手段によって付与された送信済み情報を有する画像ファイルであっても、その画像ファイルが上記アプリケーションで使用することを指定する使用指定情報が付与されている場合には、上記削除手段を制御して当該画像ファイルの削除を禁止する削除制御手段と、
を具備することを特徴とする撮影装置。
【発明の詳細な説明】
【技術分野】
【０００１】
この発明は、画像記憶装置及び撮影装置、詳しくは記憶媒体に記憶された画像ファイルを外部装置に伝送する機能とその画像ファイルを処理する機能とを有する画像記憶装置及び撮影装置に関するものである。
【背景技術】
【０００２】
従来、撮影光学系により結像される光学像を撮像素子等の光電変換素子等により光電変換処理して被写体像を電気的な画像信号として取得して、この画像信号をデジタルデータ化した形態の画像データ及び当該画像信号に関連する各種の情報データ等（以下、関連情報という）からなるデジタル画像データファイル（以下、単に画像ファイルという）を生成するいわゆるデジタルカメラ等の撮影装置が広く一般に普及している。
【０００３】
また、このような撮影装置においては、生成された画像ファイルに基づく画像を表示する表示装置や、同画像ファイルを記憶媒体等に記憶する画像記憶装置等を含んで構成されているものが普通である。
【０００４】
従来の画像記憶装置を有してなる撮影装置においては、画像記憶媒体の記憶容量や、画像ファイルを処理する処理能力に限界があるために、記憶容量及び処理能力等に余裕のある外部装置、例えば小型コンピュータ等の画像ファイル処理装置や他の画像記憶装置等の外部装置に向けて画像記憶媒体に記憶済みの画像ファイルを伝送して、当該外部装置において、伝送された画像ファイルに基づく画像の表示や印刷等に利用するための各種の処理を専用のアプリケーションソフトウエアを介して行ったり、当該外部装置の具備する大容量の記憶媒体に伝送された画像ファイルを記憶保存させるようなシステムが構成されている。
【０００５】
この場合において、外部装置は、各種の処理を施した画像ファイルを表示装置や印刷装置等へさらに伝送することで、表示装置において画像再生表示を行ったり、印刷装置において画像印刷を行ったりといった各種の機能を実現している。
【０００６】
このように構成されるシステムにおいては、撮影装置側から外部装置側の記憶媒体（画像記憶装置）へと画像ファイルを伝送した後は、撮影装置側の画像ファイルを削除することによって、当該撮影装置側の記憶媒体における空き記憶容量を確保することになる。
【０００７】
そこで、例えば特開２００６−１１５１４６号公報によって開示されているシステムにおいては、撮影装置から外部装置であるサーバ装置へと画像ファイルの伝送を行った後は、自動的に撮影装置側の記憶媒体から画像ファイルを削除すると共に、サーバ装置側では受信した画像ファイルを当該サーバ装置側の記憶媒体に登録保存するように構成している。
【０００８】
これによれば、撮影装置の使用者は、撮影装置側の記憶媒体の空き記憶容量を気にすることなく当該撮影装置を撮影に使用することができるというものである。
【０００９】
一方、近年の撮影装置においては、表示装置である液晶表示装置（ＬＣＤ）の大型化や各種電子回路における処理能力の向上に加え、安価で大容量の記憶媒体等を具備したものが普及している。
【００１０】
したがって、このような撮影装置では、撮影動作によって取得して記憶媒体に記憶済みの画像ファイルを外部装置へと伝送することなく、当該撮影装置自体の処理回路を用いて画像の表示や印刷等のための画像ファイルについての各種の処理を行なうことができるようになっていると同時に、大量の画像ファイルを削除することなくその記憶媒体に保有しておきながら、撮影動作を行って新たな画像ファイルを取得し記憶させ得る大容量の記憶媒体を備え、さらに、画像の鑑賞や各種の処理操作を画面上で視覚的に行うのに充分な大きさの表示領域を有する表示装置である液晶表示装置（ＬＣＤ）を具備するようになってきている。
【００１１】
上述のような事情により、近年の撮影装置においては、記憶済みの画像ファイルを記憶媒体から削除する機会は少なくなっているものの、例えば重要な画像ファイルであったり、他人と共有する等の目的によって撮影装置側の記憶媒体に記憶済みの画像ファイルを外部装置へ伝送する機会は、少なからず存在する。また、撮影装置が持ち得る記憶媒体の記憶容量が大容量化しているとはいえ、その上限は必ず存在する。このことから、記憶媒体の空き記憶容量がなくなってしまうという事態を避けることはできないことである。
【００１２】
そこで、例えば特開２０００−２０９５３６号公報によって開示されている撮影装置では、外部装置へと送信済みの画像ファイルについては送信済み状態を表わす状態マークを付すことで、送信状態や送信先等の情報を管理し、記憶媒体に空き記憶容量がない場合には、記憶媒体に記憶済みの画像ファイルのうち送信済み状態マークの付された画像ファイルを削除対象にするというものである。
【００１３】
これによれば、記憶媒体に記憶済みの画像ファイルについて、送信状態や送信先等を管理することができるので、画像ファイルを重複して送信する等の無駄な動作を防ぐことができると共に、記憶媒体の空き記憶容量が少なくなったときには、外部装置に送信済みの画像ファイルを削除対象として自動的に提示されるので、削除してよいか否かを気にすることなく削除を行うことができ、撮影に際しては、空き記憶容量を気にする必要がないというものである。
【００１４】
一方、近年の撮影装置にあっては、上述したように撮影装置自体の処理回路を用いて画像表示や印刷等のための画像ファイルに対する各種の処理を行なうことができるようになっている。
【００１５】
この場合において、画像表示処理を行うのに際しては、所望の表示形態を指定する表示情報（回転表示やネガポジ変換表示，カレンダー表示形態の指定情報等）等を関連情報として画像ファイルに付するようにしている。
【００１６】
また、印刷処理を行うのに際しては、画像の合成加工等を行う際の他の画像ファイル（テンプレート画像等を含む）とのリンク情報や、印刷する旨の情報，印刷枚数や印刷に関する各種の指示情報等を含む印刷条件の関連情報を画像ファイルに付するようにしている。
【００１７】
これら画像ファイルに附する関連情報の規格としては、例えばディーポフ規格（ＤＰＯＦ；Ｄigital Ｐrint Ｏrder Ｆormat），ピクトブリッジ規格（PictBridge），プリントイメージマッチング規格（PRINT Image Matching），イグジフプリント規格（Exif Print）を含むイグジフ（Exif）規格等がある。
【００１８】
以上のように、近年の撮影装置においては、撮影動作によって取得し記憶媒体に記憶される画像ファイルについての多くの関連情報が多々存在し、これらを管理し運用するための手段が種々存在する。
【特許文献１】特開２００６−１１５１４６号公報
【特許文献２】特開２０００−２０９５３６号公報
【発明の開示】
【発明が解決しようとする課題】
【００１９】
ところが、上記特開２００６−１１５１４６号公報や上記特開２００６−１１５１４６号公報等によって開示されているシステムにおいては、削除対象とする画像ファイルを伝送済みの画像ファイルとしているのみである。
【００２０】
しかしながら、外部装置へ伝送済みの画像ファイルであっても、撮影装置において表示形態の指示情報が付されていたり、各種の印刷情報が付されている等、他の用途で使用指定がなされている場合の考慮がなされておらず、このような場合にも、伝送済み情報に基づいて画像ファイルが削除されてしまうという問題点がある。
【００２１】
本発明は、上述した点に鑑みてなされたものであって、その目的とするところは、記憶媒体に記憶済みの画像ファイルのうち外部装置へ転送済みの画像ファイルを記憶媒体から削除して新規に得られる画像ファイルの記憶領域を確保し得ると共に、記憶媒体に記憶済みの画像ファイルのうち使用者が各種機能で使用することを登録し予定している画像ファイルが自動的に削除されないように制御することで、各種機能に対応させて快適な操作性を確保することのできる画像記憶装置及び撮影装置を提供することである。
【課題を解決するための手段】
【００２２】
上記目的を達成するために、本発明による画像記憶装置は、画像ファイルを記憶する画像情報記憶手段と、上記画像情報記憶手段に記憶された画像ファイルを使用するアプリケーションを実行させる処理手段と、上記画像情報記憶手段に記憶された画像ファイルを上記アプリケーションで使用することを指定するアプリケーション使用指定手段と、上記画像情報記憶手段に記憶された画像ファイルを外部装置に送信する送信手段と、上記送信手段が上記外部装置に送信した画像ファイルに対し送信履歴情報を付与する送信履歴付与手段と、上記画像情報記憶手段の記憶容量の残量を確認する媒体残量確認手段と、上記画像情報記憶手段の記憶容量の残量が所定量以下になった場合には、上記送信履歴付与手段によって付与された送信済み情報を有する画像ファイルを対象として削除する削除手段と、上記送信履歴付与手段によって付与された送信済み情報を有する画像ファイルであっても、その画像ファイルが上記アプリケーションで使用することを指定する使用指定情報が付与されている場合には、上記削除手段を制御して当該画像ファイルの削除を禁止する削除制御手段と、を有することを特徴とする。
【発明の効果】
【００２３】
本発明によれば、記憶媒体に記憶済みの画像ファイルのうち外部装置へ転送済みの画像ファイルを記憶媒体から削除して新規に得られる画像ファイルの記憶領域を確保し得ると共に、記憶媒体に記憶済みの画像ファイルのうち使用者が各種機能で使用することを登録し予定している画像ファイルが自動的に削除されないように制御することで、各種機能に対応させて快適な操作性を確保することのできる画像記憶装置及び撮影装置を提供することができる。
【発明を実施するための最良の形態】
【００２４】
以下、図示の実施の形態によって本発明を説明する。
【００２５】
図１は、本発明の第１の実施形態の画像記憶装置を含む撮影装置の内部構成の概略を示すブロック構成図である。
【００２６】
本実施形態の画像記憶装置は、被写体を撮影して画像信号を取得し画像ファイルを生成する撮影手段を有する撮影装置に含まれるものであって、この撮影装置によって取得された画像信号及びその関連情報をデータ化して画像ファイルとして記憶媒体に記憶する画像情報記憶手段を有して構成されている。
【００２７】
即ち、本実施形態の画像記憶装置を含んで構成される撮影装置は、光学レンズ等からなる撮影光学系によって結像される被写体の光学像を撮像素子等の光電変換素子等により受光して、これを光電変換処理することで電気的な画像信号を取得し、この画像信号をデジタルデータ化した形態の画像データ及び同画像信号に関連する各種の情報データ等（以下、関連情報という）からなるデジタル画像データファイル（以下、単に画像ファイルという）を生成する撮影手段と、この撮影手段によって生成された画像ファイルに基づく画像を表示する表示手段と、同画像ファイルを記憶媒体等に記憶する画像情報記憶手段（画像記憶装置）と、本撮影装置と外部装置との間でデータ通信を行って画像ファイルを送受信する有線通信機能及び無線通信機能を具備する通信手段等を含んで構成されるいわゆるデジタルカメラ等の撮影装置（以下、単に撮影装置という）である。
【００２８】
なお、上記通信手段（有線又は無線）を用いて本撮影装置との間で画像ファイル等のデータ通信を行う外部装置としては、具体的には、例えば小型コンピュータ等の画像再生装置又は画像処理装置や、外部ストレージ装置や、他の画像記憶装置を有する撮影装置や、プリンター等の画像印刷装置等がある。
【００２９】
即ち、具体的には図１に示すように、本実施形態の画像記憶装置を含む撮影装置１００は、レンズ１と、撮像素子２と、撮像回路３と、Ａ／Ｄ変換器（図１では単に「Ａ／Ｄ」と表記している）４と、信号処理回路５と、フレームメモリ６と、ＦＩＦＯメモリ７と、ＴＦＴ液晶駆動回路９と、ＴＦＴパネル１０と、バックライトユニット１１と、ビデオ出力回路１２と、ビデオ出力端子１３と、記憶バッファ１４と、記憶媒体インターフェース（以下、記憶媒体Ｉ／Ｆという）１５と、記憶媒体１６と、アクチュエータ１７と、アクチュエータ駆動回路１８と、外部有線データインターフェース（以下、外部有線データＩ／Ｆという）２２と、キーマトリクス２３と、ＬＣＤ表示回路２４と、ＬＣＤパネル２５と、電池２６と、電源回路２７と、バックアップ電源２８と、電池状態検出回路２９と、第１ＣＰＵ３１と、第２ＣＰＵ３２と、ＥＥＰＲＯＭ（ＦｌａｓｈＲＯＭ）１９と、外部無線データインターフェース（以下、外部無線データＩ／Ｆという）２０と、無線アンテナ２１等によって主に構成されている。
【００３０】
レンズ１は、光学的な被写体像を形成し、これを撮像素子２の受光面上に結像させるために設けられるものである。
【００３１】
撮像素子２は、レンズ１によって形成される光学的な被写体像を受けて光電変換処理を行って、電気的な画像信号を出力する素子である。この撮像素子２としては、高速読み出しを行うことができるタイプの固体撮像素子であって、例えばＣＣＤ（電荷結合素子），ＣＭＯＳ（相補型金属酸化膜半導体）あるいはその他の各種のタイプの撮像素子が適用され得る。
【００３２】
撮像回路３は、撮像素子２からの出力信号を受けて、その画像信号に対して各種のアナログ信号処理を行う電子回路である。
【００３３】
Ａ／Ｄ変換器４は、撮像回路３から出力されるアナログ形式の画像信号を受けて、デジタル形式の画像信号に変換するための回路である。
【００３４】
信号処理回路５は、Ａ／Ｄ変換器４から出力されたデジタル形式の画像信号を受けて、各種のデジタル的な信号処理を行う回路である。
【００３５】
フレームメモリ６は、信号処理回路５によって処理された画像信号を受けて、処理済の画像信号や、この画像信号に関する各種データ等を一時的に記憶する一時記憶手段である。このフレームメモリ６としては、例えばＳＤＲＡＭ等の半導体記憶素子等が適用される。
【００３６】
なお、本撮影装置１００においては、上述のレンズ１，撮像素子２，撮像回路３，Ａ／Ｄ変換器４，信号処理回路５，フレームメモリ６等によって、被写体を撮影して画像信号を取得し画像ファイルを生成する撮影手段の主要部が構成される。
【００３７】
ＦＩＦＯメモリ７は、画像信号を各種の表示装置へ向けて出力する際に、当該画像信号の一時的な記憶を行うために設けられるメモリである。
【００３８】
ＴＦＴ液晶駆動回路９は、ＦＩＦＯメモリ７から出力される画像信号を受けてＴＦＴパネル１０を制御する回路である。
【００３９】
ＴＦＴパネル１０は、ＴＦＴ液晶駆動回路９の制御によって画像信号に基づく画像や当該撮影装置１００における各種の情報等を表示するための表示部であり、カラー表示可能なものが用いられる。
【００４０】
バックライトユニット１１は、ＴＦＴパネル１０の背面側に設けられ、当該ＴＦＴパネル１０を背面側から照明するためのものである。
【００４１】
ビデオ出力回路１２は、ＦＩＦＯメモリ７からの画像信号を受けて、例えばＮＴＳＣ形式のビデオ信号に変換し、ビデオ出力端子１３を介して、当該ビデオ出力端子１３に接続される外部表示装置等へ出力するための回路である。
【００４２】
ビデオ出力端子１３は、本撮影装置１００と外部表示装置等との間を電気的に接続するビデオケーブル等の信号線を接続するための接続端子である。
【００４３】
なお、本撮影装置１００においては、上述のＦＩＦＯメモリ７，ＴＦＴ液晶駆動回路９，ＴＦＴパネル１０，バックライトユニット１１等によって、上記撮影手段により生成された画像ファイルに基づく画像を表示する表示手段の主要部が構成される。
【００４４】
記憶バッファ１４は、フレームメモリ６に一時的に記憶されている画像信号等を記憶媒体１６に画像データとして記憶するとき、若しくは記憶媒体１６から画像データを読み出してフレームメモリ６に一時的に記憶するとき等に用いられるバッファ（一時保存領域）である。
【００４５】
記憶媒体Ｉ／Ｆ１５は、記憶媒体１６への画像データ等の記憶処理や、記憶媒体１６からの画像データ等の読み出し処理等を制御するための回路である。
【００４６】
記憶媒体１６は、画像データやその他の各種データを記憶するための不揮発性の記憶媒体、例えば薄板形状，カード形状からなるメモリカード等である。この記憶媒体１６としては、撮影装置１００等の機器に対して着脱自在とする形態のものや、撮影装置１００等の機器内部の電気回路に固設されている形態のもの等、様々な形態のものがあり、いずれの形態のものでも本撮影装置１００に適用し得る。
【００４７】
なお、上述の記憶バッファ１４，記憶媒体Ｉ／Ｆ１５，記憶媒体１６等によって、上記撮影手段により生成された画像ファイル（画像データ及びその関連情報のデータ）等を所定の形態のデータとして記憶媒体１６に記憶する画像情報記憶手段であり画像記憶装置の主要部が構成される。
【００４８】
アクチュエータ１７は、レンズ１を駆動して、オートフォーカス動作を行ったりあるいはズーミング動作を行ったりするための駆動源である。
【００４９】
アクチュエータ駆動回路１８は、第１ＣＰＵ３１の制御に基づいてアクチュエータ１７を制御し駆動する回路である。
【００５０】
アクチュエータ１７及びアクチュエータ駆動回路１８によって、レンズ１を、その光軸方向に移動させることで被写体像の自動焦点調節（オートフォーカス（ＡＦ））動作や変倍動作を行うレンズ駆動手段の主要部を構成している。
【００５１】
外部有線データＩ／Ｆ２２は、本撮影装置１００と外部装置（図示せず）との間において画像データ等の伝送（送受信）を接続ケーブル等を介して行うための接続部分（インターフェース）であって、例えばＵＳＢ（Ｕniversal Ｓerial Ｂus）規格やＩＥＥＥ１３９４規格等に準拠した有線通信機能を有するものが適用される。本撮影装置１００においては、ＵＳＢ規格に準拠した有線通信機能を有するシステムとして例示している。
【００５２】
この外部有線データＩ／Ｆ２２及びこれに接続される接続ケーブル（図示せず）と、第１ＣＰＵ３１のシステムコントロール部３１ａ内に設けられる有線通信制御手段（後述する有線通信制御機能部３１ｃ等）を用いて本撮影装置１００と外部装置（図示せず）との間での有線接続によるデータ通信を確立し、両者間で画像ファイルの伝送を行う有線通信手段の主要部が構成される。
【００５３】
キーマトリクス２３は、本撮影装置１００に設けられる各種の操作スイッチや操作ボタン等を含む操作入力手段の総称として用いている。
【００５４】
即ち、キーマトリクス２３に含まれる具体的な操作部材としては、例えば撮影装置１００の電源状態をオン又はオフ状態に切り換える電源ボタン，撮影動作を開始させるレリーズボタン，撮影動作時には撮影倍率を変更するズームボタンとして機能し再生動作時には再生画像の拡大表示や縮小表示等の表示切換ボタンとして機能するズームボタン（ＴＷボタン），メニュー画面を呼び出す等の各種の機能に割り当てられる複数の各種操作ボタン，メニュー画面等における選択設定を行う四方向選択キー（十字キーともいう），各種の操作ボタンを用いて選択した項目を決定指示するＯＫボタン等等の入力操作系の部材である。
【００５５】
そして、このキーマトリクス２３には、上述の各種複数の操作部材と、これら操作部材のそれぞれに連動して所定の指示信号を発生させるスイッチ部材や各スイッチ部材からの指示信号を伝達する電気回路等を含んで構成される。
【００５６】
このキーマトリクス２３の各操作部材が使用者により操作されることによって発生した指示信号は、第１ＣＰＵ３１に向けて出力されるようになっている。
【００５７】
ＬＣＤ表示回路２４は、第１ＣＰＵ３１の制御に基づいてＬＣＤパネル２５を制御し、これに各種の情報表示を行わせる回路である。
【００５８】
ＬＣＤパネル２５は、例えば小型の液晶表示装置（ＬＣＤ）等によって構成され、当該撮影装置１００において設定済みの撮影条件や各種の設定情報、例えば撮影モード等の動作モード情報や、記憶媒体１６に記憶可能な画像の枚数情報，撮影時のシャッタ速度や絞り値等の露出に関する情報等を表示する情報表示部材である。
【００５９】
電池２６は、当該撮影装置１００における主（メイン）電源である。
【００６０】
バックアップ電源２８は、当該撮影装置１００の内部メモリや内部時計等に対して常に電力を供給するために設けられ、例えば本撮影装置１００における各種の設定値等の情報や日時情報等を保持したり、日付表示を上記ＬＣＤパネル２５等を用いて常時行い得るようにするための副（サブ）電源である。
【００６１】
電源回路２７は、第１ＣＰＵ３１の指令に基づいて上記電池２６及び上記バックアップ電源２８からの電源を受けて、本撮影装置１００の内部の各電気回路へと適宜供給する制御を行う回路である。
【００６２】
電池状態検出回路２９は、電池２６における電圧等、当該電池２６の状態を検出して、同電池２６の電池残量等を算出し、その結果を第１ＣＰＵ３１へと出力する回路である。
【００６３】
第１ＣＰＵ３１は、主（メイン）ＣＰＵとして配設されているものである。この第１ＣＰＵ３１は、本撮影装置１００における各回路を統括的に制御すると共に、各種の諸機能を実現するために各構成部を制御するメイン制御手段である。
【００６４】
そのために、本撮影装置１００の第１ＣＰＵ３１は、同撮影装置１００における各構成部を適宜制御（コントロール）することでシステム全体を制御するためのシステムコントロール部３１ａを備えている。
【００６５】
このシステムコントロール部３１ａの内部には、各種の電気回路等が形成されていて、例えば無線通信制御機能部３１ｂ，有線通信制御機能部３１ｃ，アルバム表示機能部３１ｄ，印刷機能部３１ｅ，削除不可フラグ設定機能部３１ｆ，転送済みフラグ設定機能部３１ｇ等のほか、図示していないが、撮影手段にて撮影動作を実行する際の各種の撮影条件を設定する撮影条件設定手段としての回路部や、撮影動作により取得した画像信号の画像データとこの画像データに関連する各種の情報（関連情報データ）とを合わせて画像ファイルを生成する画像ファイル生成手段としての回路部や、この画像ファイル生成手段で生成された画像ファイルを適切な形態で記憶媒体１６に記憶する記憶動作制御を行う回路部や、当該画像ファイルに基づく画像や関連情報を表示手段を用いて視覚的に表示可能な形態で提示する表示動作を実行する回路部等、本撮影装置１００における各種動作及び各種機能を制御するためのさまざまな制御回路を内部に有して構成されている。
【００６６】
無線通信制御機能部３１ｂは、無線通信手段の一部である外部無線データＩ／Ｆ２０等のオンオフ制御等を行って無線接続によるデータ通信機能を制御する無線通信制御手段として構成される回路である。
【００６７】
本撮影装置１００における無線通信手段は、無線通信機能を備えた外部装置（特に図示せず）との間で無線接続を確立することにより情報（データ信号等）を送受信する無線データ通信を行なうものである。
【００６８】
本撮影装置１００において、無線通信機能を実現するための方式としては、例えばワイヤレスＵＳＢ（Ｗireless Ｕniversal Ｓerial Ｂus；ＷＵＳＢ）規格に準拠した無線通信機能によるＷＵＳＢ接続や、超広帯域（ＵＷＢ；Ｕltra Ｗide Ｂand) 無線接続や、ＩｒＤＡ（アイアールディーエイ；Infrared Data Association）規格に準拠した赤外線通信機能による光無線接続等を適用し得る。
【００６９】
そのために、本撮影装置１００は、無線アンテナ２１と、外部無線データＩ／Ｆ２０と、第１ＣＰＵ３１のシステムコントロール部３１ａ内に設けられる無線通信制御手段としての無線通信制御機能部３１ｂ等からなる無線通信手段を有している。
【００７０】
無線アンテナ２１は、本撮影装置１００と外部装置（図示せず）との間で無線によるデータ通信を行うのに際して、外部装置から発信される所定の形態の電磁波等の無線信号であってデータ通信に係る無線信号を受信すると共に、本撮影装置１００から発信される所定の形態の電磁波等の無線信号であってデータ通信用の無線信号を送信する無線信号入出力部である。
【００７１】
この無線アンテナ２１は、外部無線データＩ／Ｆ２０と接続されていて、送受信した無線信号について、外部無線データＩ／Ｆ２０を介して第１ＣＰＵ３１との間で入出力するようになっている。
【００７２】
外部無線データＩ／Ｆ２０は、無線アンテナ２１と第１ＣＰＵ３１との間に介在し無線アンテナ２１に入力される無線信号を所定の形態の電気信号に変換して第１ＣＰＵ３１へ出力したり、第１ＣＰＵ３１の無線通信制御機能部３１ｂからの信号を無線信号に変換して無線アンテナ２１へと出力する無線通信手段の一部であって無線通信接続部（インターフェース）として機能している。
【００７３】
この外部無線データＩ／Ｆ２０は、第１ＣＰＵ３１のシステムコントロール部３１ａの無線通信制御機能部３１ｂ（無線通信制御手段）によって制御される。
【００７４】
一方、有線通信制御機能部３１ｃは、有線通信手段の一部である外部有線データＩ／Ｆ２２等のオンオフ制御等を行って有線接続によるデータ通信機能を制御する有線通信制御手段として構成される回路である。この有線通信制御機能部３１ｃは、外部有線データＩ／Ｆ２２との間で電気的に接続されている。
【００７５】
こうして本撮影装置１００においては、有線通信制御機能部３１ｃ（有線通信手段）又は無線通信制御機能部３１ｂ（無線通信手段）の制御によって本撮影装置１００と外部装置との間の有線接続又は無線接続を確保して、本撮影装置１００の画像情報記憶手段（記憶媒体１６）に記憶された画像ファイルを外部装置に向けて伝送することができるようになっている。
【００７６】
この場合において、有線通信制御機能部３１ｃ（有線通信手段）又は無線通信制御機能部３１ｂは、外部装置とのデータ通信によって送信がなされた画像ファイルに対しては、その旨を表わすフラグであって、送信履歴情報であり第１の符号であり送信済み情報である転送済みフラグを、該当の画像ファイルのヘッダ部における所定領域に付与するようになっている。
【００７７】
したがって、有線通信制御機能部３１ｃと無線通信制御機能部３１ｂとは、画像情報記憶手段（記憶媒体１６）に記憶された画像ファイルを外部装置に送信する送信手段としての役目をしていると共に、外部装置に送信した画像ファイルに送信履歴情報（第１の符号）を付与する送信履歴付与手段としての役目をしている。
【００７８】
他方、アルバム表示機能部３１ｄは、記憶媒体１６に記憶されている画像ファイルに基づく画像や関連情報を表示手段を用いて視覚的に表示可能な形態で表示するための表示動作処理を実行する回路部の一部であって、特にアルバム表示形態での表示動作を実行する際の処理制御を行う。
【００７９】
ここで、アルバム表示機能とは、記憶媒体１６に記憶されている画像ファイルのうちから使用者が選択指定した画像ファイルを一纏めとして表示装置の表示部に表示させる機能等をいう。
【００８０】
具体的には、アルバム表示機能には、使用者が所定の操作を行うことで記憶媒体１６に記憶されている複数の画像ファイルのうちから選択指定した一連の画像ファイルを対象として、アルバム表示機能用のアプリケーションで使用する画像ファイルである旨を示す使用指定情報であり第２の符号であるアルバム登録フラグを、該当する画像ファイルに付与する機能や、記憶媒体１６に記憶されている複数の画像ファイルの中からアルバム登録フラグを有する画像ファイルを読み込んで当該画像ファイルに基づく画像を表示装置を用いて連続的に又は一覧形式等、各種の表示形態で表示する機能等をいう。
【００８１】
印刷機能部３１ｅは、記憶媒体１６に記憶されている画像ファイルに基づく画像の印刷を行う際の処理制御を実行する回路部である。
【００８２】
ここで、印刷機能とは、使用者が記憶媒体１６に記憶されている画像ファイルのうちから印刷を所望する画像ファイルの選択指定を行ったり、印刷条件の設定を行ったりする機能や、印刷指定した画像ファイルを一纏めとして画像印刷装置へと伝送し印刷させる機能である。
【００８３】
具体的には、印刷機能としては、使用者が所定の操作を行うことで記憶媒体１６に記憶されている複数の画像ファイルのうちから選択指定した一連の画像ファイル（一つ又は複数）を対象として、行われる処理であって、その画像ファイルが印刷機能用のアプリケーションで使用する画像ファイルである旨を示す使用指定情報（第２の符号，印刷予約フラグ）を当該画像ファイルに付与する機能や、該当する画像ファイルに対して予め所望の印刷条件（例えば印刷枚数やトリミング指示や合成画像の指定等の各種の印刷条件）を設定する印刷条件設定機能や、使用者による印刷開始操作を受けて記憶媒体１６に記憶されている複数の画像ファイルの中から使用指定情報（印刷予約フラグ等）を有する画像ファイルを順次読み込んで当該画像ファイルを外部装置である画像印刷装置へと伝送する機能や、当該画像印刷装置の制御部と連繋して画像の印刷を行わしめる機能等をいう。
【００８４】
上述のように、アルバム表示機能部３１ｄや印刷機能部３１ｅは、画像情報記憶手段（記憶媒体１６）に記憶された画像ファイルをアプリケーションで使用することを指定するアプリケーション使用指定手段としての役目をしている。
【００８５】
また、さらに、使用者によってアルバム登録や印刷予約を解除する所定の操作がなされると、アルバム表示機能部３１ｄや印刷機能部３１ｅは、該当する画像ファイルにおける使用指定情報である各フラグを削除する作用をするようになっている。
【００８６】
このとき、アルバム表示機能部３１ｄや印刷機能部３１ｅは、画像ファイルの使用指定情報による指定状態、即ち画像ファイルに付与されている使用指定情報（第２の符号，アルバム登録フラグ，印刷予約フラグ等）を解除するアプリケーション使用指定解除手段として機能する。
【００８７】
削除不可フラグ設定機能部３１ｆは、アルバム表示機能部３１ｄや印刷機能部３１ｅ（アプリケーション使用指定手段）によって各機能での使用を指定された画像ファイルのヘッダ部等に、当該画像ファイルの削除を禁止する削除不可フラグを自動的に付与する処理制御を行う回路部である。
【００８８】
転送済みフラグ設定機能部３１ｇは、無線通信手段や有線通信手段を利用して外部装置に対して転送処理を実行し、その外部装置の画像記憶手段に画像ファイルを記憶させる処理を行った場合において、本撮影装置１００側の記憶媒体１６の該当する画像ファイルに対して転送済みフラグを付与する処理制御を行う回路部である。
【００８９】
ここで、本撮影装置１００によって生成される画像ファイルのファイル構造の概略を、以下に簡単に説明する。
【００９０】
図２は、本撮影装置によって生成される画像ファイルのファイル構造を概念的に示す図である。図３は、図２に示す画像ファイルのヘッダ部におけるディレクトリテーブルの内容を概念的に示す図である。
【００９１】
図２に示すように、本撮影装置１００によって生成される画像ファイルＡは、画像データの実体が格納される実画像データ領域Ａ２と、ブートエリア，ＦＡＴ（Ｆile Ａllocation Ｔable），ディレクトリテーブル等の関連情報等が格納されるヘッダ領域Ａ１とによって構成される。
【００９２】
ヘッダ領域Ａ１のうちディレクトリテーブルには、図２の符号Ｂ欄で示すように、画像ファイルのディレクトリ名，属性，時間等、当該画像ファイルに関連する各種の情報データが格納される。
【００９３】
このうちのディレクトリテーブルに格納される属性情報としては、図３に示すように、転送済フラグ（Ｃ１欄），圧縮フラグ（Ｃ２欄；Archive），ディレクトリフラグ（Ｃ３欄；Dir），ボリュームＩＤフラグ（Ｃ４欄；VolumeID），システムフラグ（Ｃ５欄；System），隠し属性（Ｃ６欄；Hidden），削除不可フラグ（Ｃ７欄）等がある。
【００９４】
上述したように、本撮影装置１００においては、記憶媒体１６に記憶された画像ファイルを対象として各種の処理を行うさまざまな機能を有している。これらの機能は、第１ＣＰＵ３１や第２ＣＰＵ３２等によって、ＥＥＰＲＯＭ１９から読み込まれて適宜実行される処理プログラムであるアプリケーションソフトウエア（以下、アプリケーションと略記する）によって実現される。
【００９５】
なお、ＥＥＰＲＯＭ１９には、上記アプリケーションのほかに、例えば外部装置（図示せず）と通信するための通信設定情報等のデータや本撮影装置１００における各種の設定データ，固有データ等が記憶されている。
【００９６】
つまり、ＥＥＰＲＯＭ１９は、これらのアプリケーションや各種データ等を予め記憶し保持しておくための不揮発性記憶媒体であって、例えばフラッシュロム（ＦｌａｓｈＲＯＭ）等が適用される。
【００９７】
本撮影装置１００において、ＥＥＰＲＯＭ１９に格納されているアプリケーションの具体的な例としては、画像情報記憶手段（記憶媒体１６）に記憶されている画像ファイルを使用して所定の機能を実現するアプリケーションであって、上述のアルバム表示機能と印刷機能等がある。
【００９８】
この場合において、第１ＣＰＵ３１と第２ＣＰＵ３２とは、画像情報記憶手段（記憶媒体１６）に記憶された画像ファイルを使用するアプリケーションを実行させる処理手段として機能することになる。
【００９９】
なお、本実施形態においては、本撮影装置１００によって行い得る機能として、特に上述の二つの機能（アルバム表示機能と印刷機能）を取り上げて詳述する。本撮影装置１００における他の機能については、特に説明を省略するが、上述の二つの機能と略同様に、各機能に対応する処理制御回路部が設けられ、各処理制御回路部においてそれぞれ対応する処理制御がなされる。
【０１００】
このように第１ＣＰＵ３１は、主に各種の動作制御を行うための集積回路となっている。
【０１０１】
一方、第２ＣＰＵ３２は、主に画像データを扱う各種の処理制御を実行する集積回路である。
【０１０２】
即ち、第２ＣＰＵ３２は、撮影手段又は画像情報記憶手段から取り込まれてフレームメモリ６に一時的に記憶されている画像データに基づいて、各種の信号処理を施す各種の回路、例えば画像圧縮伸張部３２ａ，記憶媒体アクセス部３２ｂ等に加えて、記憶媒体アクセス部３２ｂを介して記憶媒体１６の内部状態や当該記憶媒体１６に記憶されている各種ファイルについての確認処理等を行う各種の回路、例えば記憶媒体データ削除機能部３２ｃ，記憶媒体空き容量確認機能部３２ｄ，削除対象データ確認機能部３２ｅ等を内部に有して構成されている。
【０１０３】
画像圧縮伸張部３２ａは、フレームメモリ６に記憶されている画像データ等を読み出して、例えばＪＰＥＧ圧縮処理等を行ったり、記憶媒体１６から読み出された圧縮画像データの伸張処理等を行う回路部である。
【０１０４】
記憶媒体アクセス部３２ｂは、記憶媒体インターフェース１５による記憶媒体１６へのアクセスを制御するための回路部である。
【０１０５】
記憶媒体空き容量確認機能部３２ｄは、記憶媒体アクセス部３２ｂを介して記憶媒体１６の所定の領域にアクセスし、当該記憶媒体１６（画像情報記憶手段）の全記憶容量と使用済みの記憶容量を確認して、当該記憶媒体１６の空き記憶容量の確認及び検出を行う媒体残量確認手段としての役目をする回路部である。
【０１０６】
削除対象データ確認機能部３２ｅは、記憶媒体アクセス部３２ｂを介して記憶媒体１６の所定の領域にアクセスし、当該記憶媒体１６（画像情報記憶手段）に記憶されている各画像ファイルのヘッダ部を検索して削除対象となっている画像ファイル、即ち送信履歴付与手段（無線通信制御機能部３１ｂ又は有線通信制御機能部３１ｃ）によって付与された送信済み情報（転送済みフラグ）を有する画像ファイルの確認及び抽出を行うと共に、その画像ファイルにアルバム登録フラグや印刷予約フラグ等の使用指定情報（第２の符号）が付与されているか否かを確認する回路部である。
【０１０７】
記憶媒体データ削除機能部３２ｃは、上述の記憶媒体空き容量確認機能部３２ｄによって記憶媒体１６の空き記憶容量が所定量以下、具体的には例えば空き記憶容量が全記憶容量の２０％以下（この数値は単なる例示である）等であることが確認された場合に、上述の削除対象データ確認機能部３２ｅによって抽出された画像ファイル、即ち送信履歴付与手段によって付与された送信済み情報（第１の符号，送信履歴情報）を有する画像ファイルを対象として削除する削除手段としての役目をすると共に、上述の削除対象データ確認機能部３２ｅによって使用指定情報（第２の符号，アルバム登録フラグや印刷予約フラグ）が付与されている場合には、当該画像ファイルの削除を禁止する削除制御手段としての役目もする回路部である。
【０１０８】
さらに、削除手段としての記憶媒体データ削除機能部３２ｃは、アプリケーション使用指定解除手段としてのアルバム表示機能部３１ｄや印刷機能部３１ｅによって使用指定情報（アルバム登録フラグや印刷予約フラグ等）が解除された場合であって、転送済みフラグが存在している場合にのみ該当する画像ファイルを削除するようになっている。つまり、使用指定情報が解除された場合であっても、画像ファイルに対応する転送済みフラグがあれば、その画像ファイルは削除対象として扱わないように削除の禁止をする処理制御が行われることになる。
【０１０９】
その他、本発明に関連しない部分の構成については、通常一般のデジタルカメラと同様の構成であるものとして、その詳細な図示及び説明は省略する。
【０１１０】
次に、上述のように構成される本撮影装置１００の作用を、以下に説明する。
【０１１１】
まず、本撮影装置１００における撮影動作処理及び画像記憶処理は、次の通りである。
【０１１２】
即ち、使用者がキーマトリクス２３のうちの電源ボタンを操作すると本撮影装置１００は起動する（パワーオン）。通常の場合、本撮影装置１００が起動するときの動作モードは、撮影モードで起動される。
【０１１３】
こうして撮影装置１００が撮影モードで起動しているときに、使用者がレリーズ操作等の所定の一連の操作を行うことで、本撮影装置１００は、撮影動作処理を実行する。
【０１１４】
具体的には、撮影装置１００が撮影モードで起動している状態において、使用者は、まず、ズームボタンを操作することでレンズ駆動手段（アクチュエータ１７，アクチュエータ駆動回路１８）を駆動制御して、所望の構図を設定する変倍動作（ズーム動作）を行う。
【０１１５】
詳しくは、ズームボタンの操作によって、キーマトリクス２３からは、変倍動作処理の実行を開始する指示信号が生じ、同指示信号は、第１ＣＰＵ３１へと伝達される。これを受けて第１ＣＰＵ３１は、アクチュエータ駆動回路１８を介してアクチュエータ１７を駆動制御する。これによりレンズ１が駆動されることにより、変倍動作が実行される。
【０１１６】
また、使用者は、レリーズボタンの第１段目の操作を行うことで、レンズ駆動手段や撮像回路３及び撮像素子２等を駆動制御して自動焦点調節動作（ＡＦ動作）や自動露出動作（ＡＥ動作）等を実行する。
【０１１７】
詳しくは、レリーズボタンの第１段目の操作によって、キーマトリクス２３からは、自動焦点調節動作処理，自動露出動作処理の実行を開始する指示信号が生じ、同指示信号は、第１ＣＰＵ３１へと伝達される。これを受けて第１ＣＰＵ３１は、撮像素子２及び撮像回路３を駆動制御すると共に、アクチュエータ駆動回路１８を介してアクチュエータ１７を駆動制御して、レンズ１を駆動する。これにより、自動焦点調節動作，自動露出動作が実行される。
【０１１８】
続けて、使用者によるレリーズボタンの第２段目の操作を受けて、第１ＣＰＵ３１は、撮影手段を駆動制御して撮影動作処理を実行する。
【０１１９】
詳しくは、レリーズボタンの第２段目の操作によって、キーマトリクス２３から撮影動作処理の実行を開始する指示信号が生じ、同指示信号は、第１ＣＰＵ３１へと伝達される。これを受けて第１ＣＰＵ３１は、撮像素子２及び撮像回路３等の撮影手段を制御して撮影動作処理を実行する。これにより、所望の画像を表わす画像データと、この画像データに関連する関連情報とが取得され、両者を合わせた画像ファイルが生成される。
【０１２０】
このようにして生成された画像ファイルは、第１ＣＰＵ３１による第２ＣＰＵ３２，画像情報記憶手段等を制御して、記憶媒体１６の所定の記憶領域に所定の形態で記憶される。
【０１２１】
本撮影装置１００における上述のような一連の撮影動作処理及び画像記憶処理は、従来の一般的なデジタルカメラにおける動作処理と略同様の処理である。
【０１２２】
そして、本撮影装置１００は、上述のようにして取得された後、記憶媒体１６に記憶された画像ファイルに基づいて、各種の機能、例えば表示手段を利用して画像及びその関連情報等を各種の形態で表示させる表示処理機能や、通信手段を利用して外部装置に対して画像ファイルの転送処理を行う通信機能や、印刷のための画像加工処理及び印刷条件設定機能や、外部装置としての印刷装置に対して画像ファイルを転送して印刷を実行する印刷処理機能等の各種の機能を行い得る。
【０１２３】
この場合において、これら各種の機能を実行するためには、使用者は、所望の機能で所望の画像ファイルを取り扱い得るように、対象とする画像ファイルを選択指定して各機能に応じたアプリケーションが選択指定された画像ファイルを使用できるようにする操作を行う。この選択指定操作を行うことによって、所望の画像ファイルのヘッダ部に第２の符号が付与される。
【０１２４】
具体的には、例えば表示処理機能のうちアルバム表示機能を実行する場合には、アルバム表示機能用のアプリケーションで使用する画像ファイルを選択指定するアルバム登録操作を行うことで、対象とする画像ファイルに第２の符号としてのアルバム登録フラグが付与される。
【０１２５】
また、例えば印刷機能を実行する場合には、印刷機能用のアプリケーションで使用する画像ファイルを選択指定する印刷予約操作を行うことで、対処の画像ファイルに第２の符号としての印刷予約フラグが付与される。
【０１２６】
なお、印刷予約操作は、印刷対象の画像ファイルの選択指定操作のほかに、選択指定した画像ファイルに基づく画像の印刷枚数やトリミング位置等の各種の印刷条件を設定する操作等を含めてもよい。
【０１２７】
本撮影装置１００において行い得る各種機能を実行する操作うち、上述のアルバム登録操作と印刷予約操作とは、次のようにして行われる。
【０１２８】
まず、撮影装置１００を再生モードで起動すると、第１ＣＰＵ３１は、第２ＣＰＵ３２，画像情報記憶手段を制御して、記憶媒体１６に記憶されている画像ファイルをフレームメモリ６に読み込むと共に、表示手段（ＴＦＴパネル１０等）を制御して、その表示画面上に選択指定した画像ファイルに基づく画像を表示させる画像表示処理を実行する。このとき、表示画面上に表示されている画像に、当該画像の関連情報を表わす文字やアイコン等を重畳させて表示させるようにしてもよい。
【０１２９】
この画像表示処理は、例えば一つの画像ファイルに基づく画像を表示手段であるＴＦＴパネル１０の表示画面全体を使って表示させる一コマ表示形態での表示処理や、この一コマ表示形態での表示中に使用者が任意にズームボタン等を操作することでＴＦＴパネル１０の表示画面全体を等分割（例えば４分割，９分割，１６分割等）した各分割領域のそれぞれに画像ファイルに基づく縮小画像（サムネイル画像）を並べて表示させる一覧表示形態での表示処理等がある。
【０１３０】
使用者は、撮影装置１００が再生モードで動作している状態において、キーマトリクス２３のうち十字キー及びＯＫボタン等を操作して、表示中の画像を参照しながら所望の画像を選択し指示する操作を行う。
【０１３１】
つまり、記憶媒体１６に記憶されている画像ファイルのうちの特定の画像ファイルに対して所望の機能（アプリケーション）で使用することを選択し指定する操作を行う。
【０１３２】
このような操作を行うことにより、第１ＣＰＵ３１は、キーマトリクス２３からの選択指示信号を受けてアルバム表示機能部３１ｄ，印刷機能部３１ｅを制御することによって、該当する画像ファイルのヘッダ部に各対応するフラグ、即ちアルバム登録フラグや印刷予約フラグを該当する画像ファイルの関連情報の一部として付与する制御処理を実行する。
【０１３３】
この場合において、アルバム登録フラグや印刷予約フラグ等は、例えば図３に示すディレクトリテーブル属性の所定の領域等に格納される。
【０１３４】
これと同時に、第１ＣＰＵ３１は、削除不可フラグ設定機能部３１ｆを制御して、該当する同画像ファイルのヘッダ部に削除不可フラグを関連情報の一部として付与する制御処理である削除禁止登録処理を実行する。
【０１３５】
また、上述のアルバム登録操作や印刷予約操作と略同様の操作を行うことによって、アルバム登録の解除や印刷予約の解除を行うこともできる。
【０１３６】
この解除操作が行なわれると、第１ＣＰＵ３１は、削除不可フラグ設定機能部３１ｆを制御して、該当する同画像ファイルのヘッダ部から削除不可フラグを削除する（クリアする）制御処理である削除禁止解除処理を実行する。
【０１３７】
なお、上述の削除不可フラグが画像ファイルに付与される条件としては、当該画像ファイルの関連情報としてアルバム登録フラグや印刷予約フラグ等、各機能に応じたフラグの少なくとも一つが付与されていることである。
【０１３８】
また、上述の削除不可フラグが画像ファイルから削除される条件としては、当該画像ファイルの関連情報としてアルバム登録フラグ，印刷予約フラグ等、各機能に応じたフラグが一つも付与されておらず解除されている状態にあることである。
【０１３９】
ここで、本撮影装置１００における削除禁止登録処理のシーケンスを以下に説明する。
【０１４０】
図４は、本実施形態の画像記憶装置を含む撮影装置における削除禁止登録処理の流れを示すフローチャートである。
【０１４１】
本撮影装置１００において、削除禁止登録処理が実行される時期（タイミング）としては、上述の如く記憶媒体１６に記憶されている画像ファイルのうちの特定の画像ファイルに対して所望の機能（アプリケーション）で使用することを選択指定する操作がなされた時点としている。
【０１４２】
即ち、本撮影装置１００が再生モードで起動している状態にあるときに、使用者は、アルバム表示機能や印刷機能を実行する。これら各種の機能のアプリケーション実行中において、上述のように所望の画像ファイルの選択指定操作を行う処理がなされる。そして、この選択指定操作が実行された際には、図４に示すような処理シーケンスに分岐する。
【０１４３】
そして、図４のステップＳ１において、第１ＣＰＵ３１は、アプリケーションで使用することが選択指定されたか否か、即ち具体的にはアルバム登録又は印刷予約がされたか否かの確認を行う。ここで、アルバム登録又は印刷予約の指示信号が確認されない場合には、何もせずに一連の処理シーケンスを終了し、元の処理シーケンスに戻る（リターン）。
【０１４４】
また、ここで、アルバム登録又は印刷予約の指示信号が確認された場合には、次のステップＳ２の処理に進む。
【０１４５】
ステップＳ２において、第１ＣＰＵ３１は、該当する画像ファイルのヘッダ部に削除不可フラグをセットする処理を実行する。その後、一連の処理シーケンスを終了し、元の処理シーケンスに戻る（リターン）。
【０１４６】
このようにして、適宜、画像ファイルのヘッダ部に付与された削除不可フラグは、同様に各種の機能のアプリケーション実行中において、使用者による所定の操作がなされると、当該削除不可フラグをクリアする削除禁止解除処理が行われる。
【０１４７】
ここで、本撮影装置１００における削除禁止解除処理のシーケンスを以下に説明する。
【０１４８】
図５は、本実施形態の画像記憶装置を含む撮影装置における削除禁止解除処理の流れを示すフローチャートである。
【０１４９】
本撮影装置において、削除禁止解除処理が実行される時期（タイミング）は、記憶媒体１６に記憶されている画像ファイルのうちの、所望のアプリケーションでの使用指定がなされている画像ファイルについて、その使用指定を解除する所定の操作である指定解除操作がなされた時点である。
【０１５０】
即ち、本撮影装置１００が再生モードで起動している状態にあるときに、アルバム表示機能や印刷機能等のアプリケーション実行中において、所望の画像ファイルの選択指定を解除する操作を行う処理がなされる。そして、この選択指定解除操作が実行された際には、図５に示すような処理シーケンスに分岐する。
【０１５１】
そして、図５のステップＳ１１において、第１ＣＰＵ３１は、アプリケーションでの使用指定のうちアルバム登録を解除する操作がなされたか否かの確認を行う。ここで、アルバム登録の解除指示信号が確認された場合には、次のステップＳ１３の処理に進む。
【０１５２】
ステップＳ１３において、第１ＣＰＵ３１は、上記ステップＳ１１の処理におけるアルバム登録解除指示信号の対象とする画像ファイルのヘッダ部を確認し、当該画像ファイルが印刷予約されていないかどうか、即ち当該画像ファイルに印刷予約フラグが付与されていないかどうかの確認を行う。ここで、印刷予約フラグが付与されていないことが確認された場合には、次のステップＳ１５の処理に進む。
【０１５３】
ステップＳ１５において、第１ＣＰＵ３１は、当該画像ファイルのヘッダ部の削除不可フラグをクリアする（削除する）処理を実行する。その後、一連の処理シーケンスを終了し、元の処理シーケンスに戻る（リターン）。
【０１５４】
一方、上述のステップＳ１１において、アルバム登録の解除指示信号が確認されなかった場合には、ステップＳ１２の処理に進む。
【０１５５】
ステップＳ１２において、第１ＣＰＵ３１は、アプリケーションでの使用指定のうち印刷予約を解除する操作がなされたか否かの確認を行う。ここで、印刷予約の解除指示信号が確認された場合には、次のステップＳ１４の処理に進む。
【０１５６】
ステップＳ１４において、第１ＣＰＵ３１は、上記ステップＳ１２の処理における印刷予約解除指示信号の対象とする画像ファイルがアルバム登録されていないかどうか、即ち当該画像ファイルにアルバム登録フラグが付与されていないかどうかの確認を行う。ここで、アルバム登録フラグが付与されていないことが確認された場合には、ステップＳ１５の処理に進み、このステップＳ１５において、第１ＣＰＵ３１は、同様に当該画像ファイルのヘッダ部の削除不可フラグをクリアする（削除する）処理を実行した後、一連の処理シーケンスを終了し、元の処理シーケンスに戻る（リターン）。
【０１５７】
なお、上述のステップＳ１３において印刷予約フラグが付与されていることが確認された場合と、上述のステップＳ１２において印刷予約の解除指示信号が確認されない場合と、上述のステップＳ１４においてアルバム登録フラグが付与されていることが確認された場合との、いずれかの場合は、何もせずに一連の処理シーケンスを終了し、元の処理シーケンスに戻る（リターン）。
【０１５８】
上述のようにして、使用者は、撮影装置１００を撮影モードで動作させることによって取得し、その記憶媒体１６に記憶させた画像ファイルを対象に、所望の機能（アプリケーション）で使用する画像ファイルの選択指定操作や設定操作を行ったり、選択指定の解除操作等を、当該撮影装置１００を再生モード時で動作させた状態で実行する。これにより、所定の画像ファイルのヘッダ部には、各種の機能に対応するフラグが付与された状態になる。
【０１５９】
一方、本撮影装置１００においては、記憶媒体１６に記憶された画像ファイルを他の画像記憶装置等の外部装置に向けて転送処理を行って、当該外部装置の画像記憶手段（記憶媒体）に所望の画像ファイルを転送することができるようになっている。
【０１６０】
ここで、本撮影装置１００における画像ファイル転送処理のシーケンスを以下に説明する。
【０１６１】
図６は、本実施形態の画像記憶装置を含む撮影装置における画像ファイル転送処理の流れを示すフローチャートである。
【０１６２】
本撮影装置１００が再生モードで起動しているとき、使用者が所定の操作を行って画像ファイル転送モードに切り換えられると、第１ＣＰＵ３１は、無線通信手段又は有線通信手段を用いて外部装置に対して画像ファイルの転送処理を実行する転送処理が実行される。
【０１６３】
この場合において、使用者は、まず、無線通信手段と有線通信手段とのいずれを用いて転送処理を実行するかの選択設定を行う。これを受けて第１ＣＰＵ３１は、選択設定された通信手段を有効に機能し得るように初期化処理を行う。
【０１６４】
そして、図６のステップＳ２１において、第１ＣＰＵ３１は、記憶媒体空き容量確認機能部３２ｄを制御して記憶媒体１６の記憶領域に空き領域がないかどうかの確認を行う。ここで、所定の空き領域が無いことが確認された場合には、次のステップＳ２２の処理に進む。なお、この場合において、所定の空き領域が無いかどうかの判断は、例えば空き領域の容量が記憶媒体１６の全記憶容量に対して２０％以下（この数値は単なる例示である）となっているような場合に、第１ＣＰＵ３１は空き領域が無いと判断する。
【０１６５】
ステップＳ２２において、第１ＣＰＵ３１は、空き無し状態フラグをセットする処理を実行する。その後、ステップＳ２３の処理に進む。
【０１６６】
一方、上述のステップＳ２１の処理において、充分な空き領域があることが確認された場合には、すぐにステップＳ２３の処理に進む。
【０１６７】
ステップＳ２３において、第１ＣＰＵ３１は、画像ファイルの転送指示信号の監視を行う待機状態となる。この転送指示信号は、使用者によってなされるキーマトリクス２３の所定の操作によって生じる。その転送指示信号が確認された場合には、次のステップＳ２４の処理に進む。
【０１６８】
ステップＳ２４において、第１ＣＰＵ３１は、記憶媒体１６に記憶されている画像ファイルのヘッダ部を検索し、外部装置に向けて転送すべき画像ファイル、即ち転送対象画像ファイルが存在するか否かの確認を行う。
【０１６９】
ここで、転送対象画像ファイルとは、例えば使用者の所定の操作によって選択指示した画像ファイルであって、転送処理の対象となる画像ファイルである。
【０１７０】
例えば、上述のステップＳ２３の処理中、本撮影装置１００が待機状態にあるときに、使用者は、表示手段の表示画面上に表示される画像ファイルに基づく縮小画像の中から転送処理の対象とするべき画像ファイルの選択指示を所定の操作によって行う。こうして、選択指示された画像ファイルは転送対象画像ファイルとされると同時に、上述の選択指示操作に応じて転送指示信号が生じる。上述のステップＳ２３の処理において、第１ＣＰＵ３１は、この転送指示信号を受けて、実際の転送動作を開始する。
【０１７１】
また、転送対象画像ファイルは、使用者が予め所定の操作を行って選択しておくようにしてもよい。この場合には、転送対象画像ファイルの選択指示操作を行うと、選択された画像ファイルのヘッダ部等に転送予約フラグが付与されるようにしておけばよい。そして、上述のステップＳ２４の処理においては、この転送予約フラグが付与されている画像ファイルが転送対象画像ファイルに該当する。
【０１７２】
このステップＳ２４の処理において、転送対象画像ファイルが存在することが確認された場合には、ステップＳ２５の処理に進む。また、ここで転送対象画像ファイルが存在しないことが確認された場合には、一連の転送処理の処理シーケンスを終了し、元の処理シーケンスに戻る（リターン）。
【０１７３】
次に、ステップＳ２５において、第１ＣＰＵ３１は、上述のステップＳ２３の処理における転送指示信号に対応する画像ファイルを通信手段を用いて実際に転送する処理を実行する。この処理についての詳細な説明は省略するが、通常一般の撮影装置等にて行われるのと同様の処理がなされるものとする。この処理が完了すると、第１ＣＰＵ３１は、当該処理ステップにて転送済みの画像ファイルに対して転送済みフラグ設定機能部３１ｇを制御してヘッダ部の所定領域に転送済みフラグを付与（セット）する処理を実行する。その後、ステップＳ２６の処理に進む。
【０１７４】
ステップＳ２６において、第１ＣＰＵ３１は、空き無し状態フラグがセットされているか否かの確認を行う。ここで、空き無し状態フラグがセットされていることが確認されると、ステップＳ２７の処理に進む。また、ここで、空き無し状態フラグがセットされていないことが確認されると、上述のステップＳ２４の処理に戻り、以降の処理を繰り返す。
【０１７５】
ステップＳ２７において、第１ＣＰＵ３１は、現在の記憶媒体１６における記憶領域の空き容量が、所定の容量（例えば記憶媒体１６の全記憶領域容量に対して２０％の容量）よりも大きいか否かの確認を行う。ここで、空き容量が所定の容量よりも大きいことが確認された場合には、ステップＳ３０の処理に進む。
【０１７６】
ステップＳ３０において、第１ＣＰＵ３１は、空き無し状態フラグをクリアする処理を実行する。その後、上述のステップＳ２４の処理に戻り、以降の処理を繰り返す。
【０１７７】
一方、ステップＳ２７の処理において、現在の記憶領域の空き容量が所定の容量よりも小さいことが確認された場合には、次のステップＳ２８の処理に進む。
【０１７８】
ステップＳ２８において、第１ＣＰＵ３１は、転送済みの画像ファイルが削除可能か否かの確認を行う。ここで行われる削除可能か否かの確認は、第１ＣＰＵ３１により制御される第２ＣＰＵ３２の削除対象データ確認機能部３２ｅが、転送済みの画像ファイルのヘッダ部における削除不可フラグの有無を確認することである。
【０１７９】
ここで、転送済みの画像ファイルに削除不可フラグが付与されており、削除不可であることが確認された場合には、上述のステップＳ２４の処理に戻り、以降の処理を繰り返す。一方、ここで、転送済みの画像ファイルに削除不可フラグが付与されておらず、削除可能であることが確認された場合には、ステップＳ２９の処理に進む。
【０１８０】
ステップＳ２９において、第１ＣＰＵ３１は、第２ＣＰＵ３２の記憶媒体データ削除機能部３２ｃを介して記憶媒体Ｉ／Ｆ１５，記憶媒体１６等の画像記憶手段の構成部材を制御して、対象とする画像ファイルの削除を行う処理を実行する。その後、上述のステップＳ２４の処理に戻り、以降の処理を繰り返す。
【０１８１】
以上説明したように上記第１の実施形態によれば、画像記憶装置を含む撮影装置１００において、記憶媒体１６に記憶済みの画像ファイルを各種の機能用のアプリケーションで使用する際に、当該アプリケーションにて使用の登録や予約設定を行うと、該当の画像ファイルのヘッダ部には、アプリケーションの使用指定情報（第２の符号）、具体的には例えばアルバム登録フラグや印刷予約フラグ等を付与するようにしている。この使用指定情報は、適宜、使用者の操作に応じて対象となる画像ファイルのヘッダ部に付与されたり、付与の解除がなされる。そして、当該使用指定情報が画像ファイルに付与されると同時に、当該画像ファイルの削除を禁止する旨を表わす符号（削除不可フラグ）が付与される。
【０１８２】
一方、当該撮影装置１００において、記憶媒体１６に記憶済みの画像ファイルを外部装置に転送し、その転送先の外部装置の記憶媒体等に記憶保存させると、その画像ファイル、即ち転送済み画像ファイルに対して送信履歴情報（第１の符号，送信済み情報）がヘッダ部等に付与されるようにしている。
【０１８３】
そして、本撮影装置１００は、画像ファイルの転送処理の実行中に、送信履歴情報が付与されている転送済み画像ファイルのうち削除不可フラグの有無を確認し、当該削除不可フラグの付与されていない画像ファイルのみを削除するようにしている。
【０１８４】
つまり、撮影装置１００側の記憶媒体１６に記憶されている画像ファイルのうち外部装置へ転送済みの画像ファイルであっても、各種の機能用のアプリケーションで使用することが指定されている画像ファイル、即ち使用指定情報（第２の符号）であって例えばアルバム登録フラグや印刷予約フラグ等が付与されている場合には、削除不可フラグが付与されて、その画像ファイルの削除を禁止している。
【０１８５】
したがって、これによれば、使用者が本撮影装置１００における各種の機能で使用するつもりでいる画像ファイルが転送処理によって削除されてしまうことを防ぐことができるので、撮影装置１００の各種の機能による画像ファイルの活用を支障無く実行することができる。
【０１８６】
また、転送済みの画像ファイルのうち削除可能な画像ファイルを、撮影装置１００の記憶媒体１６から削除する際においては、当該撮影装置１００の記憶媒体１６の空き容量の確認を行って、その空き容量が所定容量よりも少なくなったときにのみ削除処理を実行するようにしているので、使用者は、撮影装置１００における記憶媒体１６の空き容量を気にすることなく、撮影動作を続けることができると同時に、記憶媒体１６に記憶されている画像ファイルを効率的に各種機能で活用することができる。
【０１８７】
上述の第１の実施形態においては、転送済み画像ファイルのうち削除可能な画像ファイルを削除する場合においては、画像ファイルの外部装置への転送処理中において、実際の転送動作を行い、その転送動作の都度、当該画像ファイルが削除可能かどうかの確認を行い、その確認の結果、削除可能である場合に画像ファイルの削除処理を実行するようにしている。
【０１８８】
しかしながら、削除可能な画像ファイルを削除するタイミングとしては、上述の例に限ることはない。次に説明する本発明第２の実施形態では、削除タイミングの異なる例を示している。
【０１８９】
即ち、本発明の第２の実施形態においては、削除可能画像ファイルを削除するタイミングとして、撮影動作の処理中における所定のタイミングで削除動作を実行するようにした例を示す。
【０１９０】
本実施形態の画像記憶装置は、上述の第１の実施形態と同様に、被写体を撮影して画像信号を取得し画像ファイルを生成する撮影手段を有する撮影装置に含まれるものである。この撮影装置の基本的な構成は、上述の第１の実施形態と同様である。したがって、本実施形態の画像記憶装置を含む撮影装置の構成は、図１を参照し、以下の説明においては、同じ符号を用いるものとする。
【０１９１】
本実施形態においては、撮影装置１００の撮影動作処理中において、記憶媒体１６の空き領域が少ない場合には、転送済みでかつ削除可能な画像ファイルがあるかどうかの確認を行って、削除可能な画像ファイルがある場合には、その画像ファイルの削除動作を実行して記憶媒体１６の空き領域を確保することで、撮影動作によって新たに取得した画像ファイルの記憶動作を実行し得るようにするものである。
【０１９２】
本撮影装置１００において、各種機能に対応するフラグ付加処理、例えばアルバム登録フラグや印刷予約フラグ等を付加する処理は、上述の第１の実施形態と同様である。
【０１９３】
また、本撮影装置１００における削除禁止登録処理や削除禁止解除処理についても、上述の第１の実施形態と同様である（図４，図５参照）。
【０１９４】
そして、本撮影装置１００において生成される画像ファイルのファイル構造についても、上述の第１の実施形態と同様である（図２，図３参照）。
【０１９５】
本撮影装置１００における画像ファイル転送処理の処理シーケンスを、以下に説明する。
【０１９６】
図７は、本実施形態の画像記憶装置を含む撮影装置における画像ファイル転送処理の流れを示すフローチャートである。
【０１９７】
本撮影装置１００が再生モードで起動しているときに、使用者の所定の操作によって画像ファイル転送モードに切り換えられることで、画像ファイル転送処理の実行が開始される。なお、この画像ファイル転送処理、即ち図７のステップＳ３３〜Ｓ３５の一連の処理は、上述の第１の実施形態における画像ファイル転送処理シーケンスにおけるステップＳ２３〜Ｓ２５（図６参照）の一連の処理と同様の処理である。
【０１９８】
図７のステップＳ３３において、第１ＣＰＵ３１は、画像ファイルの転送指示信号の監視を行う待機状態となる。ここで、転送指示信号が確認された場合には、次のステップＳ３４の処理に進む。
【０１９９】
ステップＳ３４において、第１ＣＰＵ３１は、記憶媒体１６に記憶されている画像ファイルのヘッダ部を検索し、転送対象画像ファイルが存在するか否かの確認を行う。ここで、転送対象画像ファイルが存在することが確認された場合には、ステップＳ３５の処理に進む。また、ここで転送対象画像ファイルが存在しないことが確認された場合には、一連の転送処理の処理シーケンスを終了する（リターン）。
【０２００】
次に、ステップＳ３５において、第１ＣＰＵ３１は、転送対象となる画像ファイルを通信手段を用いて実際に転送する処理を実行する。この処理が完了すると、第１ＣＰＵ３１は、当該処理ステップにて転送済みの画像ファイルに対して転送済みフラグ設定機能部３１ｇを制御してヘッダ部の所定領域に転送済みフラグを付与（セット）する処理を実行する。その後、ステップＳ３４の処理に戻り、以降の処理を繰り返す。
【０２０１】
次に、本撮影装置１００における撮影動作の処理シーケンスを、以下に説明する。
【０２０２】
図８は、本実施形態の画像記憶装置を含む撮影装置における撮影動作処理の流れを示すフローチャートである。
【０２０３】
本撮影装置１００が撮影モードで起動している状態においては、第１ＣＰＵ３１は、図８のステップＳ４１において、撮影指示信号の待機状態にある。この撮影指示信号は、使用者がレリーズ操作等の所定の一連の操作を行うことで生じる指示信号である。ここで、撮影指示信号が確認されると、次のステップＳ４２の処理に進む。
【０２０４】
ステップＳ４２において、第１ＣＰＵ３１は、撮影手段を駆動制御して被写体を撮影する一連の処理動作を実行する。これにより、生成された画像データと、この画像データに関連する関連情報とは、フレームメモリ６に一時的に記憶される。こうして画像データ等の取得までの一連の動作が完了すると、その後ステップＳ４３の処理に進む。
【０２０５】
ステップＳ４３において、第１ＣＰＵ３１は、記憶媒体空き容量確認機能部３２ｄを制御して記憶媒体１６の記憶領域に空き領域がないかどうかの確認を行う。ここで、充分な空き領域があることが確認された場合には、すぐにステップＳ４６の処理に進む。
【０２０６】
一方、上述のステップＳ４３の処理において、所定の空き領域が無いことが確認された場合には、次のステップＳ４４の処理に進む。
【０２０７】
ステップＳ４４において、第１ＣＰＵ３１は、記憶媒体１６に記憶済みの画像ファイルのヘッダ部等を検索し、削除可能な画像ファイル、即ち転送済みフラグが付与されていて、かつ各種機能による登録フラグや予約フラグが付与されておらず、削除不可フラグが付与されていない画像ファイルがあるか否かの確認を行う。ここで、削除可能な画像ファイルが無いことが確認された場合には、ステップＳ４７の処理に進む。
【０２０８】
そして、ステップＳ４７において、第１ＣＰＵ３１は、記憶不可エラー処理を実行する。この記憶不可エラー処理としては、例えば記憶媒体１６の空き容量不足に起因して、今回新規に取得した画像ファイルの記憶処理を実行することができない旨の表示等を、表示手段を用いて警告表示する等の処理である。その後、一連の処理シーケンスを終了する。なお、この場合には、所定の操作によってエラーが解除されるか、または電源オフ状態とされるまで警告表示が維持される。
【０２０９】
一方、上述のステップＳ４４の処理において、削除可能な画像ファイルがあると確認された場合には、次のステップＳ４５の処理に進む。
【０２１０】
ステップＳ４５において、第１ＣＰＵ３１は、削除可能画像ファイルの削除処理を実行し、削除可リストを更新する。その後、ステップＳ４６の処理に進む。
【０２１１】
ステップＳ４６において、第１ＣＰＵ３１は、新規画像ファイルの記憶動作処理を実行する。即ち、フレームメモリ６に一時的に記憶されており、上述のステップＳ４２の処理によって取得された画像データと、この画像データに関連する関連情報とに基づいて画像ファイルを生成し、この画像ファイルを記憶媒体１６の記憶領域に記憶させる処理が行われる。その後、上述のステップＳ４１の処理に戻り、以降の処理を繰り返す。
【０２１２】
以上説明したように上記第２の実施形態によれば、撮影動作処理の実行中に、記憶媒体１６の空き領域の確認を行うようにして、空き領域がないことが確認された場合には、削除可能画像ファイルの削除処理を行って記憶媒体１６の空き領域を確保した上で新規画像ファイルの記憶保存を行うようにしている。このような構成によっても、上述の第１の実施形態と同様の効果を得ることができる。
【０２１３】
上述の第１，第２の実施形態では、転送処理時又は撮影動作処理時に記憶媒体１６の空き領域の確認を行って、空き領域がないことが確認された場合には、削除可能画像ファイルを自動的に削除する処理を行うことで記憶媒体の空き領域を確保するようにしている。
【０２１４】
この場合において削除可能画像ファイルは、外部装置へ転送済みの画像ファイルであって、かつ各種の機能用のアプリケーションで使用することが指定されていない画像ファイルが該当する。
【０２１５】
一方、撮影装置１００の記憶媒体１６に記憶済みの画像ファイルのうち上述の各実施形態において削除可能である条件を満たしている画像ファイルであっても、記憶媒体１６の記憶領域から削除せずに保存しておきたいと、使用者が所望する画像ファイルが存在する場合もあり得る。
【０２１６】
そこで、この場合に対応するために、削除可能画像ファイルの削除処理を行う際には、使用者が削除可否の指示操作を行う処理ステップを挿入する処理手段が考えられる。これを考慮した場合の例を、次に示す本発明の第３の実施形態によって、以下に説明する。
【０２１７】
本実施形態の画像記憶装置は、上述の第１の実施形態と同様に、被写体を撮影して画像信号を取得し画像ファイルを生成する撮影手段を有する撮影装置に含まれるものである。この撮影装置の基本的な構成は、上述の第１の実施形態と同様である。したがって、本実施形態の画像記憶装置を含む撮影装置の構成は、図１を参照し、以下の説明においては、同じ符号を用いるものとする。
【０２１８】
また、本撮影装置１００において、各種機能に対応するフラグ付加処理、例えばアルバム登録フラグや印刷予約フラグ等を付加する処理は、上述の第１の実施形態と同様である。
【０２１９】
本撮影装置１００における削除禁止登録処理や削除禁止解除処理は、上述の第１の実施形態と同様である（図４，図５参照）。
【０２２０】
本撮影装置１００において生成される画像ファイルのファイル構造は、上述の第１の実施形態と同様である（図２，図３参照）。
【０２２１】
本撮影装置１００における画像ファイル転送処理の処理シーケンスを、以下に説明する。
【０２２２】
図９は、本実施形態の画像記憶装置を含む撮影装置における画像ファイル転送処理の流れを示すフローチャートである。
【０２２３】
本撮影装置１００における画像ファイル転送処理は、基本的には上述の第１の実施形態と略同様である（図６参照）。したがって、同じ処理ステップについては、同じステップ番号を附して、その詳細説明は省略し、異なる処理ステップについてのみ、以下に説明する。
【０２２４】
ステップＳ２１〜ステップＳ２７の処理は、上述の第１の実施形態と全く同様である。
【０２２５】
ステップＳ２７において、第１ＣＰＵ３１は、現在の記憶媒体１６における記憶領域の空き容量が、所定の容量よりも大きいか否かの確認を行って、空き容量が所定の容量よりも大きいことが確認された場合には、上述の第１の実施形態（図６）と同様に、ステップＳ３０の処理に進み、このステップＳ３０において、第１ＣＰＵ３１は、空き無し状態フラグをクリアする処理を実行する。その後、上述のステップＳ２４の処理に戻り、以降の処理を繰り返す。
【０２２６】
一方、ステップＳ２７の処理において、現在の記憶領域の空き容量が所定の容量よりも小さいことが確認された場合には、次のステップＳ５１の処理に進む。
【０２２７】
ステップＳ５１において、第１ＣＰＵ３１は、表示手段を制御してＴＦＴパネル１０の表示画面上に、直前に転送処理した画像ファイルに基づく画像と、その関連情報のうち特に削除可能情報または削除不可情報を表示する。その後、ステップＳ５２の処理に進む。
【０２２８】
ここで行われる削除可能であるか、削除不可であるかの情報は、第１ＣＰＵ３１により制御される第２ＣＰＵ３２の削除対象データ確認機能部３２ｅが、転送済みの画像ファイルのヘッダ部における削除不可フラグの有無を確認することにより得られる情報である。
【０２２９】
ステップＳ５２において、本撮影装置１００は、削除指示信号の待機状態となる。ここで、第１ＣＰＵ３１は、キーマトリクス２３からの指示信号を監視する。
【０２３０】
そして、使用者により所定の操作がなされることで、ＴＦＴパネル１０に表示中の画像に対応する画像ファイル（即ち転送済み画像ファイル）を削除する旨の削除指示信号が生じた場合には、次のステップＳ５３の処理に進む。
【０２３１】
ステップＳ５３において、第１ＣＰＵ３１は、第２ＣＰＵ３２の記憶媒体データ削除機能部３２ｃ（削除手段）を制御して、指定された画像ファイル（表示中であり転送済みの画像ファイル）についての削除処理を実行する。つまり、記憶媒体データ削除機能部３２ｃ（削除手段）は、記憶媒体１６（画像情報記憶手段）に記憶された転送済みフラグ（第１の特定情報）を含む属性リストファイルによって特定される画像ファイル（転送済み画像ファイル）を削除する。その後、上述のステップＳ２４の処理に戻り、以降の処理を繰り返す。
【０２３２】
一方、上述のステップＳ５２の処理にて、使用者による所定の操作が所定の時間内になされずに削除指示信号が生じなかったり、使用者によって削除をキャンセルする指示信号が確認された場合には、削除処理を経ずに、上述のステップＳ２４の処理に戻り、以降の処理を繰り返す。
【０２３３】
以上説明したように上記第３の実施形態によれば、上述の第１の実施形態と同様の効果を得ることができると共に、転送処理の実行中において、転送済み画像ファイルを削除するか否かを、その都度、使用者が指定するようにしたので、削除可能条件を満たした画像ファイルであっても、自動的に削除されてしまうようなことがなく、所望の画像ファイルを撮影装置１００における画像記憶装置に記憶保存しておくことができる。
【０２３４】
上述の各実施形態においては、転送済みの画像ファイルであることを示す送信履歴情報（第１の符号，転送済みフラグ）や、各種の機能用アプリケーションでの使用を指定する使用指定情報（第２の符号，アルバム登録フラグ，印刷予約フラグ等）や、これに伴って付与される削除不可フラグ等は、該当する画像ファイルのヘッダ部の所定領域に付与するようにしている。
【０２３５】
このように、個々の画像ファイルのそれぞれに各対応する個別の情報を付与するようにすれば、各画像ファイルを移動したとしても、各画像ファイルに固有の関連情報が常に伴うことになるので、対応する関連情報を常に保持し失ってしまう心配がないという利点がある。その一方で、これらの関連情報を検索する際には、記憶媒体１６に記憶済みの全画像ファイルについて、各ヘッダ部の検索を行う必要が生じる。
【０２３６】
そこで、各画像ファイルの関連情報を検索することを考慮して、検索の目的とする関連情報と記憶媒体に記憶された画像ファイルの管理情報（属性情報）との対応を示す属性リストのデータファイル（以下、属性リストファイルという）を作成し、画像ファイルとは別ファイルで管理する手段が考えられる。これを考慮した場合の例を、次に示す本発明の第４の実施形態によって、以下に説明する。
【０２３７】
本実施形態の画像記憶装置は、上述の各実施形態と同様の構成からなる撮影装置に含まれるものである。したがって、この撮影装置自体の構成は、図１を参照して同じ符号を用いるものとし、図示及び詳細説明は省略する。
【０２３８】
本撮影装置１００において、各種機能に対応するフラグ付加処理、例えばアルバム登録フラグや印刷予約フラグ等を付加する処理は、上述の第１の実施形態と同様である（図２，図３参照）。
【０２３９】
本撮影装置１００における削除禁止登録処理や削除禁止解除処理は、基本的には上述の第１の実施形態と同様である（図４，図５参照）が、本実施形態では、第１ＣＰＵ３１の削除不可フラグ設定機能部３１ｆによって実行される削除禁止登録処理や削除禁止解除処理においてセット又はクリアされる削除不可フラグは、画像ファイルとは別に生成される属性リストファイルによって管理される。
【０２４０】
また、本撮影装置１００においては、通信手段（有線通信制御機能部３１ｃ，無線通信制御機能部３１ｂ）による転送処理が実行された結果、第１ＣＰＵ３１の転送済みフラグ設定機能部３１ｇにより付与される送信履歴情報（転送済みフラグ）、即ちもまた、上記属性リストファイルによって管理される。なお、本実施形態において、送信履歴情報は、送信手段を用いて外部装置に送信された画像ファイルを特定する第１の特定情報であって、送信履歴付与手段である通信手段（３１ｂ，３１ｃ）を介して第１ＣＰＵ３１から記憶媒体１６（画像情報記憶手段）に画像ファイルとは別ファイルとして記憶される。
【０２４１】
この属性リストファイルは、例えば図１０に示すような形態の一覧表形式のデータファイルである。具体的には、例えば記憶媒体１６に記憶されている画像ファイルのファイル名の一覧情報と、各画像ファイルに対応する関連情報のうち削除不可フラグ及び転送済みフラグのセット又はクリア状態とを関連付けて一覧表形式で記載されるデータファイルである。
【０２４２】
この属性リストファイルは、管理情報記憶手段としての第１ＣＰＵ３１によって、転送処理及び各種の機能処理が実行される際に、自動的に生成され、画像ファイルとは別ファイルとして記憶媒体１６の記憶領域に記憶されるようになっている。
【０２４３】
そして、第１ＣＰＵ３１は、この属性リストファイルのみを参照することで、記憶媒体１６に記憶されている画像ファイルの属性状態を把握し管理することができるようになっている。
【０２４４】
つまり、第１ＣＰＵ３１は、必要に応じて、第２ＣＰＵ３２の削除対象データ確認機能部３２ｅを制御して記憶媒体アクセス部３２ｂを介して記憶媒体１６の所定の領域にアクセスし、当該記憶媒体１６（画像情報記憶手段）に記憶されている属性リストファイルを参照し、転送済みフラグや削除不可フラグを有する画像ファイルの確認と、削除可能状態又は削除不可状態に各該当する画像ファイルの抽出を行うようになっている。
【０２４５】
さらに、本実施形態では、上述の属性リストファイルに基づいて、削除可能な画像ファイルを一覧表形式で記述したデータファイルであって、例えば図１１に示すような形態の削除可リストファイルが、第１ＣＰＵ３１によって適宜自動的に生成されるようになっている。
【０２４６】
この削除可リストファイルに登録されるための条件としては、上述の属性リストファイルにおいて、転送済みフラグが付与されており、かつ削除不可フラグが付与されていない状態の画像ファイルが該当する。
【０２４７】
なお、削除不可フラグは、上述の各実施形態と同様に、アルバム表示機能部３１ｄや印刷機能部３１ｅ等のアプリケーション使用指定手段により、各アプリケーションで使用することを指定することで付与されるアルバム登録フラグ，印刷予約フラグ等の第２の特定情報に基づいて付与される。
【０２４８】
この削除不可フラグ（第２の特定情報）が属性リストファイルに記述されることで、これにより特定される画像ファイルが削除されないように制御がなされる。
【０２４９】
次に、本撮影装置１００における画像ファイル転送処理の処理シーケンスを、以下に説明する。
【０２５０】
図１２は、本実施形態の画像記憶装置を含む撮影装置における画像ファイル転送処理の流れを示すフローチャートである。
【０２５１】
本撮影装置１００が再生モードで起動しているときに、使用者の所定の操作によって画像ファイル転送モードに切り換えられることで、画像ファイル転送処理の実行が開始される。
【０２５２】
なお、本実施形態において、図１２のステップＳ３３〜Ｓ３５の一連の処理は、上述の第２の実施形態における画像ファイル転送処理シーケンスにおけるステップＳ３３〜Ｓ３５の一連の処理と略同様の処理である。
【０２５３】
即ち、図１２のステップＳ３３において、第１ＣＰＵ３１は、画像ファイルの転送指示信号の監視を行う待機状態となる。ここで、転送指示信号が確認された場合には、次のステップＳ３４の処理に進む。
【０２５４】
ステップＳ３４において、第１ＣＰＵ３１は、記憶媒体１６に記憶されている属性リストファイルを検索し、転送対象画像ファイルが存在するか否か（転送済みフラグがセットされていない画像ファイルが存在するか否か）の確認を行う。ここで、転送対象画像ファイルが存在することが確認された場合には、ステップＳ３５の処理に進む。また、ここで転送対象画像ファイルが存在しないことが確認された場合には、一連の転送処理の処理シーケンスを終了する（リターン）。
【０２５５】
次に、ステップＳ３５において、第１ＣＰＵ３１は、転送対象画像ファイルを通信手段を用いて実際に転送する処理を実行する。この処理が完了すると、第１ＣＰＵ３１は、転送済みフラグ設定機能部３１ｇを制御して属性リストファイルにおける当該画像ファイルの対応欄に転送済みフラグを付与（セット）する処理を実行する。その後、ステップＳ６１の処理に進む。
【０２５６】
ステップＳ６１において、第１ＣＰＵ３１は、属性リストファイルを検索して、直前の転送動作にて転送済みの画像ファイルの削除不可フラグはセットされているか否かの確認を行う。ここで、削除不可フラグがセットされていることが確認された場合には、ステップＳ３４の処理に戻り、以降の処理を繰り返す。
【０２５７】
一方、削除不可フラグがセットされていないことが確認された場合には、ステップＳ６２の処理に進む。
【０２５８】
ステップＳ６２において、第１ＣＰＵ３１は、属性リストファイル上から転送済み画像ファイルの情報を削除する処理を行って、属性リストファイルの書き換え更新を行う。その後、ステップＳ６３の処理に進む。
【０２５９】
ステップＳ６３において、第１ＣＰＵ３１は、転送済み画像ファイルの情報を削除可リストファイルに登録する処理を行って、削除可リストファイルの書き換え更新を行う。その後、ステップＳ３４の処理に戻り、以降の処理を繰り返す。
【０２６０】
このようにして、属性リストファイル及び削除可リストファイルが生成される。
【０２６１】
次に、本撮影装置１００における撮影動作の処理シーケンスを、以下に説明する。
【０２６２】
図１３は、本実施形態の画像記憶装置を含む撮影装置における撮影動作処理の流れを示すフローチャートである。
【０２６３】
本実施形態の撮影装置１００における撮影動作処理は、上述の第２の実施形態における撮影動作処理と略同様の処理となっている。本撮影装置１００においては、撮影動作の後に記憶媒体１６の記憶領域に空き領域がない場合には、削除可リストを確認することで削除可能画像ファイルの有無を確認している点（図１３のステップＳ７４の処理）が異なるのみである。
【０２６４】
その他の処理ステップは、上述の第２の実施形態（図８参照）と全く同様である。
【０２６５】
以上説明したように上記第４の実施形態においても、上述の第１の実施形態と同様の効果を得ることができると共に、記憶媒体１６に記憶済みの画像ファイルにおける関連情報のうちの一部を属性リストファイルと、これに基づいて生成される削除可リストファイルとによって管理し、これらのリストファイルは、画像ファイルとは別ファイルとして記憶媒体１６に記憶されるようにしたので、所定の関連情報（削除不可フラグ，転送済みフラグ）を検索する際には、リストファイルのみを検索すればよく、より高速に検索結果を得ることができる。
【０２６６】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【０２６７】
【図１】本発明の第１の実施形態の画像記憶装置を含む撮影装置の内部構成の概略を示すブロック構成図。
【図２】図１の撮影装置によって生成される画像ファイルのファイル構造を概念的に示す図。
【図３】図２に示す画像ファイルのヘッダ部におけるディレクトリテーブルの内容を概念的に示す図。
【図４】図１の撮影装置における削除禁止登録処理の流れを示すフローチャート。
【図５】図１の撮影装置における削除禁止解除処理の流れを示すフローチャート。
【図６】図１の撮影装置における画像ファイル転送処理の流れを示すフローチャート。
【図７】本発明の第２の実施形態の画像記憶装置を含む撮影装置における画像ファイル転送処理の流れを示すフローチャート。
【図８】本発明の第２の実施形態の画像記憶装置を含む撮影装置における撮影動作処理の流れを示すフローチャート。
【図９】本発明の第３の実施形態の画像記憶装置を含む撮影装置における画像ファイル転送処理の流れを示すフローチャート。
【図１０】本発明の第４の実施形態の画像記憶装置を含む撮影装置によって生成される属性リストファイルを示す図。
【図１１】本発明の第４の実施形態の画像記憶装置を含む撮影装置によって生成される削除可リストファイルを示す図。
【図１２】本発明の第４の実施形態の画像記憶装置を含む撮影装置における画像ファイル転送処理の流れを示すフローチャート。
【図１３】本発明の第４の実施形態の画像記憶装置を含む撮影装置における撮影動作処理の流れを示すフローチャート。
【符号の説明】
【０２６８】
１……レンズ
２……撮像素子
３……撮像回路
６……フレームメモリ
１０……ＴＦＴパネル
１４……記憶バッファ
１５……記憶媒体インターフェース
１６……記憶媒体
２０……外部無線データインターフェース
２１……無線アンテナ
２２……外部有線データインターフェース
２３……キーマトリクス
３１……第１ＣＰＵ
３１ａ……システムコントロール部
３１ｂ……無線通信制御機能部
３１ｃ……有線通信制御機能部
３１ｄ……アルバム表示機能部
３１ｅ……印刷機能部
３１ｆ……削除不可フラグ設定機能部
３１ｇ……転送済みフラグ設定機能部
３２……第２ＣＰＵ
３２ａ……画像圧縮伸張部
３２ｂ……記憶媒体アクセス部
３２ｃ……記憶媒体データ削除機能部
３２ｄ……記憶媒体空き容量確認機能部
３２ｅ……削除対象データ確認機能部
１００……撮影装置
【図１】
2008271324.tif 000003
【図２】
2008271324.tif 000004
【図３】
2008271324.tif 000005
【図４】
2008271324.tif 000006
【図５】
2008271324.tif 000007
【図６】
2008271324.tif 000008
【図７】
2008271324.tif 000009
【図８】
2008271324.tif 000010
【図９】
2008271324.tif 000011
【図１０】
2008271324.tif 000012
【図１１】
2008271324.tif 000013
【図１２】
2008271324.tif 000014
【図１３】
2008271324.tif 000015